(57)【要約】【課題】真直な部分以外に限定されず、異形の筐体であっても配設可能なコンパクトな遊技機用施錠装置を提供する。【解決手段】遊技機用施錠装置７において、フロントパネルに回転自在に設けられ、筺体に傾斜面１３ｃで係止するとともに、フロントパネルの開動に伴って傾斜面１３ｃを摺動させて回転し、筐体との係止を解除するフックプレート１３と、フロントパネルに設けられ筺体に係止したフックプレート１３に係止してフックプレート１３の回転を規制するラッチ１５と、フロントパネルに設けられ解錠回転によってラッチ１５の規制を解除するシリンダー錠１１と、筐体に固設されフロントパネル５の閉動に伴ってフックプレート１３を押圧してフックプレート１３を筐体係止方向に回転させる押込み金具１７とを設けた。【選択図】      図１
2004238890.tif 000002
【特許請求の範囲】
【請求項１】
筺体にヒンジを介して開閉動自在となったフロントパネルに設けられ遊技機前後方向に直交する方向の回転中心軸回りに回転自在となり、前記筺体に傾斜面で係止するとともに、前記フロントパネルの開動に伴って前記傾斜面を摺動させて回転し、前記筐体との係止を解除するフックプレートと、
前記フロントパネルに設けられ前記筺体に係止した前記フックプレートに係止して該フックプレートの回転を規制するラッチと、
前記フロントパネルに設けられ解錠回転によって前記ラッチの規制を解除するシリンダー錠と、
前記筐体に固設され前記フロントパネルの閉動に伴って前記フックプレートを押圧して該フックプレートを筐体係止方向に回転させる押込み金具と、
を具備したことを特徴とする遊技機用施錠装置。
【請求項２】
請求項１記載の遊技機用施錠装置において、
前記フックプレート及び前記ラッチが同一の基台に取付けられ、前記フックプレート及び前記ラッチと、前記筺体及び前記フロントパネルの境界との間に、該基台を介在させたことを特徴とする遊技機用施錠装置。
【発明の詳細な説明】
【０００１】
【発明の属する技術分野】
本発明は、例えば回胴式遊技機（所謂、パチスロ）に用いて好適な遊技機用施錠装置に関するものである。
【０００２】
【従来の技術】
従来、遊技機の施錠装置として、例えば以下に示す特許文献１に開示されているものがある。これは、図６に示すように、前面枠１００の開放側裏面にシリンダ錠１０１と、該シリンダ錠１０１の錠軸１０２に取付けられたカム板１０３と、上下一対の鉤片１０４，１０４を有する昇降杆１０５とを基枠体１０６を介して取り付けるとともに、外枠１０７の開放側内側面の上下位置に前記鉤片１０４，１０４が係脱する係止金具１０８，１０８を固着し、シリンダ錠１０１の回動操作によりカム板１０３を回動して昇降杆１０５を上下方向へ摺動させるとともに、係止金具１０８，１０８と鉤片１０４，１０４との係合を解除して前面枠１００を解錠するように構成されたものである。
【０００３】
【特許文献１】
実公昭５８−４５３８号公報
【０００４】
【発明が解決しようとする課題】
しかしながら、上記した遊技機用施錠装置は、上下方向に真直な前面枠１００の開閉端側の裏面に、上下方向に真直で長尺に構成される昇降杆１０５を配設した構造であり、すなわち上下に真直な部分に配設される施錠装置であることから、外枠１０７及び前面枠１００の形状に十分な長さの真直な部分のない複雑な形状、例えば、凹凸があったり湾曲されている場合には対応することが難しいという欠点がある。また、昇降杆１０５の上下端に鉤片１０４をそれぞれ備える構成であることから、位置合わせなどの調整が必要であり、組立施工性としての煩雑さがあった。
【０００５】
さらに、前面枠１００全体が開放するのではなく、一部分のみ開放させたい構造である場合に、上記した施錠装置では長尺な昇降杆１０５の構造をそのまま適用することは困難であり、コンパクト化が望まれていた。
【０００６】
また、上記した遊技機用施錠装置では、前面枠１００の開閉端側の裏面に、昇降杆１０５，カム板１０３とを配設し、これらの機構部が前面枠１００の開閉端側の木口側に露出する状態となっていて、昇降杆１０５がカム板１０３だけによって上下摺動して、係止金具１０８に係脱する機構であったため、前面枠１００を閉鎖した場合であっても、前面枠１００と外枠１０７との隙間から針金等を挿入すれば、昇降杆１０５や鉤片１０４を係合解除する方向に直接移動させることも可能で、前面枠１００が開放されてしまい、容易に内部装置（遊技用制御基板等）に触れて不正な行為、悪戯ができ、高い施錠信頼性を得ることができなかった。
【０００７】
本発明は上記状況に鑑みてなされたもので、真直な部分に限定せず、異形の筐体であっても配設可能なコンパクトな遊技機用施錠装置を提供することを目的とするとともに、組み付けが容易であり、簡素な構造で信頼性のある施錠装置を提供することを目的とする。また、隙間から挿入される針金等によって開放されることを阻止し、遊技用制御基板等への不正な行為を防止することのできる遊技機用施錠装置を提供し、施錠信頼性の向上を図ることを目的とする。
【０００８】
【課題を解決するための手段】
次に、上記の課題を解決するための手段を、実施の形態に対応する図面を参照して説明する。
この発明に係る請求項１記載の遊技機用施錠装置７は、筺体３にヒンジを介して開閉動自在となったフロントパネル５に設けられ遊技機前後方向に直交する方向の回転中心軸回りに回転自在となり、前記筺体３に傾斜面１３ｃで係止するとともに、前記フロントパネル５の開動に伴って前記傾斜面１３ｃを摺動させて回転し、前記筐体３との係止を解除するフックプレート１３と、
前記フロントパネル５に設けられ前記筺体３に係止した前記フックプレート１３に係止して該フックプレート１３の回転を規制するラッチ１５と、
前記フロントパネル５に設けられ解錠回転によって前記ラッチ１５の規制を解除するシリンダー錠１１と、
前記筐体３に固設され前記フロントパネル５の閉動に伴って前記フックプレート１３を押圧して該フックプレート１３を筐体係止方向に回転させる押込み金具１７と、
を具備したことを特徴とする。
【０００９】
この遊技機用施錠装置７では、筺体３に係止したフックプレート１３に対しさらにラッチ１５が係止してフックプレート１３の回転が規制される。つまり、筺体３に対するフックプレート１３のロック構造が二重のロック構造となる。また、フロントパネル５を閉動することにより、フックプレート１３が押込み金具１７に押圧されて筐体係止方向に回転するので、フロントパネル５を閉動するのみでフロントパネル５を筺体３に対して施錠することが可能となる。そして、従来のような長尺な杆状の構造などがなく、コンパクト化が図られ、遊技機の形状に限定されずに施錠装置を設けることが可能となる。
【００１０】
請求項２記載の遊技機用施錠装置７は、請求項１記載の遊技機用施錠装置７において、
前記フックプレート１３及び前記ラッチ１５が同一の基台９に取付けられ、前記フックプレート１３及び前記ラッチ１５と、前記筺体３及び前記フロントパネル５の境界３４との間に、該基台９を介在させたことを特徴とする。
【００１１】
この遊技機用施錠装置７では、フックプレート１３及びラッチ１５と、筺体３及びフロントパネル５の境界３４との間に基台９が介在し、フックプレート１３及びラッチ１５が基台９によって上記境界３４から覆われることになる。これにより、基台９が邪魔となって、筺体３とフロントパネル５との隙間から針金等が挿入されても、施錠機構部への接触が不能となり、フックプレート１３を回転させて係止を解除することができず、このような不正な行為によるフロントパネル５の解錠が阻止される。
【００１２】
【発明の実施の形態】
以下、本発明に係る遊技機用施錠装置の好適な実施の形態を図面を参照して詳細に説明する。
図１は本発明に係る遊技機用施錠装置の要部斜視図、図２は図１の遊技機用施錠装置を図１の背面側から透視した側面図である。
【００１３】
例えば回胴式遊技機である所謂、パチスロ等の図２に示す遊技機１は、ヒンジ（図示せず）によって筐体３に対して開閉自在となったフロントパネル５を有している。フロントパネル５は、図示しないが、複数の操作スイッチや、筺体３に設けた回胴を目視可能とする窓部等を有している。遊技機１は、上記の回胴を回転する回転制御装置（図示せず）、操作スイッチ、遊技媒体払出し装置（図示せず）や、これらと電気的に接続され、回胴の回転や遊技媒体払出し数等を制御する遊技用制御基板等（図示せず）を筺体３に備えている。遊技機１は、これらの内部装置が、フロントパネル５を筺体３に対して閉鎖することにより外部から覆われている。
【００１４】
本実施の形態による遊技機用施錠装置７は、筺体３に対してフロントパネル５を施解錠するためのものとなる。図１に示すように、遊技機用施錠装置７は、フロントパネル５に固設される基台９と、シリンダー錠１１と、フックプレート１３と、ラッチ１５と、押込み金具１７（図２参照）とを主要な構成要素として有している。
【００１５】
基台９は、例えばフロントパネル５の側面と平行な面となるようにして、フロントパネル５の内側に固設される。基台９には基台面に垂直な軸１９を突設してあり、この軸１９にはフックプレート１３が回転自在に支持されている。従って、フックプレート１３は、遊技機前後方向に直交する水平方向（図２の紙面垂直方向）の回転中心軸回りに回転自在となっている。
【００１６】
フックプレート１３は、軸１９を挟んで一端側に鉤状のフック１３ａを有し、他端側に鋸歯部１３ｂを有している。フック１３ａは、フックプレート１３の回転によって、筐体３に固設した後述のロック金具２０（図２参照）に係止するようになっている。また、フックプレート１３の基台９と反対側の面となる一方の面には、第一の突起２１ａと、第二の突起２１ｂが突設されている。
【００１７】
この第一の突起２１ａには、フックプレート１３の面と平行に延在し、基端をこの第一の突起２１ａの先端面に固定したバネ支持アーム２３を設けている。基台９にはバネ支持軸２５を立設してあり、このバネ支持軸２５とバネ支持アーム２３の先端とには引っ張りバネ２７を張架している。この引っ張りバネ２７は、フックプレート１３に対し、軸１９を中心としてロック金具２０へ係止する方向の回転モーメントを付与する。
【００１８】
フックプレート１３は、フック１３ａに傾斜面１３ｃを有し、この傾斜面１３ｃでロック金具２０に係止する。従って、フックプレート１３は、フロントパネル５を開動することで、この開動に伴って傾斜面１３ｃをロック金具２０に摺動させて図２の反時計回りに回転し、ロック金具２０との係止を解除するようになっている。
【００１９】
基台９にはラッチ１５が支持ピン３１を介して可動自在に取付けられている。ラッチ１５は、支持ピン３１を挟んで一端側に係止爪１５ａを有している。また、ラッチ１５の他端側には、一端を基台９に固定した、引っ張りバネ３３の他端が固定されている。この引っ張りバネ２７は、係止爪１５ａが鋸歯部１３ｂに係止する方向でラッチ１５を付勢している。従って、ラッチ１５の係止爪１５ａに鋸歯部１３ｂが噛合されたフックプレート１３は、回動が規制されることになる。
【００２０】
なお、鋸歯部１３ｂは、二列の鋸歯を、半ピッチずらして平行に配置して形成してあり、これにより、係止爪１５ａとの噛合間隔を小さくすることを実現させている。
【００２１】
フックプレート１３及びラッチ１５は、同一の基台９に取付けられ、フックプレート１３及びラッチ１５と、筐体３及びフロントパネル５の境界３４（図２参照）との間に、基台９が介在している。従って、フックプレート１３及びラッチ１５は、基台９によって境界３４から覆われることになる。これにより、基台９が邪魔となって、筐体３とフロントパネル５との隙間から挿入した針金等による施錠機構部への接触が不能となっている。
【００２２】
基台９にはシリンダー錠１１の基端が固定されており、シリンダー錠１１は先端をフロントパネル５の側面に表出させている。シリンダー錠１１の基端には所謂、ダルマ１１ａが突出しており、ダルマ１１ａには係止解除爪３５が固定されている。シリンダー錠１１は、図示しない合鍵がキー孔に挿入されて解錠方向に回転されることで、内筒とともにダルマ１１ａが回転する。このダルマ１１ａの回転により係止解除爪３５が回転し、ラッチ１５を図１の時計回りに回転させ、ラッチ１５と鋸歯部１３ｂとの係止を解除するようになっている。なお、シリンダー錠１１は、解錠方向と反対方向に回転することで、内部装置（遊技用制御基板等）のリセット操作を実行するように構成されている。
【００２３】
すなわち、ラッチ１５は、ロック金具２０に係止したフックプレート１３に係止して、このフックプレート１３の回動を規制するとともに、シリンダー錠１１の解錠回転に従動して、フックプレート１３の回転規制を解除する。
【００２４】
筐体３には、フックプレート１３の第一の突起２１ａ、第二の突起２１ｂと順次に当接する押込み金具１７を固設している。押込み金具１７は、第一の押込み金具１７ａと、第二の押込み金具１７ｂとからなる。押込み金具１７は、フロントパネル５の閉動に伴って、第一の突起２１ａ、第二の突起２１ｂに順次に当接して、フックプレート１３を引っ張りバネ２７の付勢力に抗して回転させ、フックプレート１３を筐体３への係止方向に回転させる。
【００２５】
次に、上記の構成を有する遊技機用施錠装置の作用を説明する。
図３は図２に示した遊技機用施錠装置における解錠時の状態を（ａ）、フロントパネル開放時の状態を（ｂ）に表した動作説明図、図４は図２に示した遊技機用施錠装置におけるフロントパネル閉動開始時の状態を（ａ）、フロントパネル閉鎖直前の状態を（ｂ）に表した動作説明図、図５は図２に示した遊技機用施錠装置におけるロック状態を表した動作説明図である。
【００２６】
図２に示したフロントパネル５の施錠状態から、シリンダー錠１１に合鍵が挿入され、解錠方向に回転されると、係止解除爪３５が図３の時計回りに回転し、ラッチ１５を反時計回りに回転させる。これにより、ラッチ１５と鋸歯部１３ｂとの係止が解除される。この状態においても、フックプレート１３は、引っ張りバネ２７によって、ロック金具２０に係止する方向に付勢されている。
【００２７】
この状態で、フロントパネル５が手によって開動されると、フックプレート１３はラッチ１５との係止が解除されているので、傾斜面１３ｃをロック金具２０に摺動させながら、引っ張りバネ２７の付勢力に抗して図３の反時計回りに回転する。フロントパネル５がある程度開き、フック１３ａの先端がロック金具２０から離れると、フックプレート１３は、図３（ｂ）に示すように、引っ張りバネ２７の付勢力によって時計回りに回転し、同図に示す中立位置に停止する。この状態で、フロントパネル５は、全開されることとなる。
【００２８】
なお、シリンダー錠１１に挿入された合鍵は、フロントパネル５を開いた際にシリンダー錠１１から抜き取られる。これにより、係止解除爪３５は、引っ張りバネ３３の引っ張り力により図３（ｂ）の時計回りに付勢された状態となる。
【００２９】
一方、全開の状態からフロントパネル５が閉動を開始すると、先ず、図４（ａ）に示すように、フックプレート１３の第一の突起２１ａに、第一の押込み金具１７ａが当接し、この状態でさらにフロントパネル５が閉動されると、フックプレート１３は第一の押込み金具１７ａから押圧されて、引っ張りバネ２７の付勢力に抗して図４（ａ）の時計回りに回転する。
【００３０】
図４（ａ）の状態からさらにフロントパネル５が閉動されると、図４（ｂ）に示すように、次に第二の突起２１ｂに第二の押込み金具１７ｂが当接し、続けてフックプレート１３を時計回りに回転させる。ここで、バネ支持軸２５と、軸１９と、第一の突起２１ａとは、図４（ｂ）に示すように直線上に位置するが、その状態からさらに時計回りに回転すると、今度は引っ張りバネ２７の付勢力によって、フックプレート１３が時計回りに回転される。
【００３１】
この結果、図５に示すように、ある程度まで閉鎖されていたフロントパネル５は、フックプレート１３が筐体３側のロック金具２０に係止することとなる。同時に、同図の時計回りに付勢されているラッチ１５がフックプレート１３の鋸歯部１３ｂに係止し、フックプレート１３は反時計回りの回転が規制されて、ロック金具２０に二重ロック状態となって係止することとなる。
【００３２】
この際、フロントパネル５は、筐体３側へ押圧されると、ロック金具２０がフック１３ａのさらに深い位置まで進入する。同時にラッチ１５が鋸歯部１３ｂに順次噛合して行き、フックプレート１３の反時計回りの回転が規制される。これにより、フックプレート１３は、ロック金具２０に接近しただけ、深い位置で係止することとなり、ガタツキが生じないようになっている。
【００３３】
このように、上記の遊技機用施錠装置７によれば、筐体３に係止したフックプレート１３に対しさらにラッチ１５が係止してフックプレート１３の回転が規制される。つまり、筺体３に対するフックプレート１３のロック構造が二重のロック構造となる。また、フロントパネル５を閉動することにより、フックプレート１３が押込み金具１７に押圧されて筐体係止方向に回転するので、フロントパネル５を閉動するのみでフロントパネル５を筺体３に対して施錠することが可能となる。そして、この遊技機用施錠装置７は、従来のような長尺な杆状の構造などがなく、すなわち、真直な部分にのみ構成される施錠装置ではなく、遊技機の形状に凹凸部分や湾曲部分があっても、このような部分に対して配設することが可能となるコンパクトな遊技機用施錠装置を得ることができる。また、筐体３の一部分のみを開閉するような構造であっても、この遊技機用施錠装置７を設けることが可能であり、汎用性の高い施錠装置を得ることができる。
【００３４】
また、この遊技機用施錠装置７では、フックプレート１３及びラッチ１５と、筺体３及びフロントパネル５の境界３４との間に基台９が介在し、フックプレート１３及びラッチ１５が基台９によって上記境界３４から覆われることになる。これにより、基台９が邪魔となって、筺体３とフロントパネル５との隙間から針金等が挿入されても、施錠機構部への接触が不能となり、フックプレート１３を回転させて係止を解除することができず、このような不正な行為によるフロントパネル５の解錠が阻止される。さらに、この基台９に各部が配置される構成であることから、組付けが容易なものとなり、組立施工性が向上することとなる。
【００３５】
なお、上記の遊技機用施錠装置７は、フロントパネル５のみを筐体３に対して開閉する遊技機１の場合を例に説明したが、本発明に係る遊技機用施錠装置は、この他、例えばフロントパネル５の前面に、さらに開閉自在な前面扉を有する構造の遊技機に用いられるものであってもよい。この場合、シリンダー錠１１は、別途の前面扉用施錠機構を付加することで、一方の回転でフロントパネル５を解錠し、他方の回転で前面扉を解錠する構成とすることが可能となる。
【００３６】
【発明の効果】
以上説明したように、本発明に係る請求項１記載の遊技機用施錠装置によれば、筺体に係止したフックプレートに対しさらにラッチが係止してフックプレートの回転を規制するので、筐体に対するフックプレートのロック構造が二重のロック構造となる。また、フロントパネルを閉動することにより、フックプレートが押込み金具に押圧されて筐体係止方向に回転するので、フロントパネルを閉動するのみでフロントパネルを施錠することができる。この結果、操作性を低下させることなく、施錠信頼性を向上させることができる。また、本発明の遊技機用施錠装置によれば、従来の施錠装置のような長尺な杆状の構造などが無く、すなわち真直で長尺な部材で構成される施錠装置ではなく、コンパクトな構成であることから、遊技機の形状が凹凸や湾曲などで構成されていても、配設が可能であり、また筐体の一部分のみを開閉するような構造であっても配設が可能であり、汎用性の高い施錠装置を得ることができる。
【００３７】
請求項２記載の遊技機用施錠装置によれば、フックプレート及びラッチが同一の基台に取付けられ、フックプレート及びラッチと、筺体及びフロントパネルの境界との間に、基台を介在させたので、フックプレート及びラッチを基台によって上記境界から覆うことができ、筺体とフロントパネルとの隙間から針金等が挿入されても、施錠機構部への接触が不能となり、フックプレートを回転させて係止を解除することができず、このような不正な行為によるフロントパネルの解錠が阻止され、施錠信頼性を向上させることができる。さらに、この基台に各部が配置される構成であることから、簡素な構造となるとともに、組付けが容易なものとなり、組立施工性が向上する効果を得られる。
【図面の簡単な説明】
【図１】本発明に係る遊技機用施錠装置の要部斜視図である。
【図２】図１の遊技機用施錠装置を図１の背面側から透視した側面図である。
【図３】図２に示した遊技機用施錠装置における解錠時の状態を（ａ）、フロントパネル開放時の状態を（ｂ）に表した動作説明図である。
【図４】図２に示した遊技機用施錠装置におけるフロントパネル閉動開始時の状態を（ａ）、フロントパネル閉鎖直前の状態を（ｂ）に表した動作説明図である。
【図５】図２に示した遊技機用施錠装置におけるロック状態を表した動作説明図である。
【図６】従来の遊技機用施錠装置の斜視図である。
【符号の説明】
３…筺体
５…フロントパネル
７…遊技機用施錠装置
９…基台
１１…シリンダー錠
１３…フックプレート
１３ｃ…傾斜面
１５…ラッチ
１７…押込み金具
３４…境界
【図１】
2004238890.tif 000003
【図２】
2004238890.tif 000004
【図３】
2004238890.tif 000005
【図４】
2004238890.tif 000006
【図５】
2004238890.tif 000007
【図６】
2004238890.tif 000008